(57)【要約】【課題】シャッタ装置のスライドバーを有する施錠装置の操作部を左右２箇所以上に配置し、操作性を犠牲にすることなく、窓の前に家具等を自由にレイアウト可能とする。【解決手段】左のスライドバー３１を左に付勢し、右のスライドバー３２を右に付勢する付勢手段を有する。巾木１６の左側に室内側に向かって突出する左右一対のツマミ部材３９を有する左の操作部３３を設ける。巾木１６の右側に室内側に向かって突出する左右一対のツマミ部材３９を有する右の操作部３４を設ける。左右の操作部３３，３４におけるそれぞれの左右一対のツマミ部材３９のうちの左のツマミ部材３９が左のスライドバー３１に接続される。右のツマミ部材３９が右のスライドバー３２に接続される。これらツマミ部材３９は、それぞれ左右のスライドバー３１，３２を少なくとも巾木１６の内側に引き込む方向に連動可能に左右のスライドバー３１，３２に接続される。【選択図】図４
2007297797.tif 000002
【特許請求の範囲】
【請求項１】
建築物の開口部の左右に立設された一対のガイドレールを有する枠部材と、
前記ガイドレールに沿って昇降移動可能なシャッタカーテンと、
前記シャッタカーテンの先端部に左右に延在して設けられる巾木と、
前記シャッタカーテンを閉じた状態で、前記枠部材の下端部に前記巾木を係止した状態に保持する施錠装置とを備え、
前記施錠装置は、
前記巾木に所定範囲内で左右に移動自在に設けられるとともに前記巾木の左端部から出没自在とされる左の係止部材と、
前記巾木に所定範囲内で左右に移動自在に設けられるとともに前記巾木の右端部から出没自在とされる右の係止部材と、
前記枠部材の左右の下端部に設けられ、前記巾木の左右端部からそれぞれ突出した状態の前記左右の係止部材と係合することにより前記シャッタカーテンを閉じた状態に保持する左右の係合部と、
前記左の係止部材を左に付勢し、前記右の係止部材を右に付勢する付勢手段と、
前記巾木の中央より左側に形成される左右一対の第１の操作部材と、
前記巾木の中央より右側に形成される左右一対の第２の操作部材とを備え、
第１及び第２の操作部材におけるそれぞれの左右一対の操作部材のうちの左の操作部材が左の係止部材に接続され、右の操作部材が右の係止部材に接続され、かつ、これら操作部材は、それぞれ左右の係止部材を少なくとも前記巾木の内側に引き込む方向に連動可能に左右の係止部材に接続されていることを特徴とするシャッタ装置。
【請求項２】
前記左右の係止部材は、前記巾木の左右の長さの半分より長く左右に延在するとともに、少なくとも一部が互いに前後に重なるように配置され、
第１及び第２の操作部材におけるそれぞれの左右一対の操作部材のうちの左の操作部材が左の係止部材に一体に左右に移動可能に接続され、右の操作部材が右の係止部材に一体に左右に移動可能に接続されていることを特徴とする請求項１記載のシャッタ装置。
【請求項３】
前記左右の係止部材は、前記巾木の左右の長さの半分より長く左右に延在するとともに、少なくとも一部が互いに上下に重なるように配置され、
第１及び第２の操作部材におけるそれぞれの左右一対の操作部材のうちの左の操作部材が左の係止部材に一体に左右に移動可能に接続され、右の操作部材が右の係止部材に一体に左右に移動可能に接続されていることを特徴とする請求項１記載のシャッタ装置。
【請求項４】
前記左右の係止部材は、前記巾木の左右の長さの半分より短く形成されるとともに、互いに重ならないように左右に配置され、
左右一対の第１の操作部材のうちの左の操作部材が左の係止部材に一体に左右に移動可能に接続され、右の操作部材が紐状部材を介して右の係止部材を前記巾木内に引き込み可能に接続され、
左右一対の第２の操作部材のうちの右の操作部材が右の係止部材に一体に左右に移動可能に接続され、左の操作部材が紐状部材を介して左の係止部材を前記巾木内に引き込み可能に接続されていることを特徴とする請求項１記載のシャッタ装置。
【発明の詳細な説明】
【技術分野】
【０００１】
本発明は、開閉自在なシャッタカーテンを備えるとともに、シャッタカーテンの先端部材となる巾木にシャッタカーテンを閉じた状態に保持するロック装置を備えたシャッタ装置に関する。
【背景技術】
【０００２】
住宅等の建築物の窓等の開口部に設けられるシャッタ装置は、開口部の左右に立設された一対のガイドレールに沿ってシャッタカーテンが昇降可能に設けられ、このシャッタカーテンを巻取ドラムに巻き取ることでシャッタカーテンを引き上げて開口部を開放し、シャッタカーテンを巻取ドラムから引き出して開口部を閉塞するようになっている。
前記ガイドレールや巻取ドラムは、建築物の開口部に取り付けられる枠部材に取り付けられている。
また、シャッタカーテンは、左右に細長いスラットを上下方向に多数連結することにより、巻取ドラムに巻き取ることが可能な構成とされるとともに、上端部が巻取ドラムに接続され、下端部には、シャッタカーテンの先端部材となる巾木が設けられている。
この巾木は、最下端となるスラットに連結されるとともに、スラットと略同様に前記ガイドレールにガイドされるように左右のガイドレールに渡る長さを有する。
【０００３】
そして、巾木には、開口部側に固定された前記ガイドレール等を有する枠側と係合してシャッタカーテンを閉じた状態に保持する施錠装置が設けられている。
この施錠装置には、様々なものが知られているが、構造が簡単でかつ低コストに製造可能な施錠装置として、巾木の両端部から先端部がそれぞれ出没自在な二つのスライドバー（係止部材）を設け、前記枠部材の左右の下端部に前記スライドバーの先端部と係合する係合部を設けたものが知られている（例えば、特許文献１参照）。また、以下のような施錠装置は、枠部材の下辺側（ガイドレール同士の間の下側）に、施錠装置用の部材が配置されることがなく、例えば、入出口としても使用可能は掃き出し窓などで好適に用いられる。
【０００４】
具体的には、例えば、図８に示すような施錠装置がある。図８は、シャッタ装置の前記巾木１と枠部材の左右の下端部だけを図示したものであるが、巾木１は、例えば、アルミ製で、主要部が左右に長尺な細板状となっているとともに、内部が中空となっており、断面が上下に長い矩形枠状となっている。
そして、巾木１の内部には、左右にスライドバー２，３が巾木１に対して左右に移動自在に配置されている。また、左右のスライドバー２，３の先端部２ａ、３ａは、それぞれ、巾木１の主要部の左右端部から外側に出没可能となっている。
【０００５】
シャッタカーテンを閉じた状態で、左右のスライドバー２，３の先端部２ａ、３ａを巾木１の左右端部から外側に突出させ、シャッタ装置の枠部材に設けられた係合部４，４に係合させることにより、シャッタカーテンを閉じた状態に保持できるようになっている。
また、巾木１に設けられた施錠装置には、操作部材が備えられ、前記左右のスライドバー２，３を片手で同時に左右に移動させることが可能となっている。
【０００６】
前記左右のスライドバー２，３は、その後端部が互いに近接した位置に配置されるとともに、後端部が室内側に向かって直角に屈曲した状態となって、取付部を形成している。
また、巾木１の室内側の側面には、上述の取付部を露出するように左右に長い矩形状の開口が形成され、該開口には、スライド枠５が取り付けられている。
そして、これら取付部にツマミ部材６，６が取り付けられている。
【０００７】
そして、スライド枠５に、前記ツマミ部材６，６が左右に移動自在にはめ込まれている。また、左右のツマミ部材６，６が取り付けられた左右のスライドバー２，３は、それぞれスライド枠５にコイルスプリングを介して連結されており、左右のスライドバー２，３（左右のツマミ部材６，６）をそれぞれ左右に付勢している。これにより、左右のスライドバー２，３は、それぞれ左右に付勢され、先端部２ａ、３ａを巾木１の主要部の左右端部から突出した状態とされる。
【０００８】
これら、スライド枠５、ツマミ部材６，６から施錠装置の操作部が形成されている。
シャッタカーテンを開ける場合には、片手で前記二つのツマミ部材６，６を互いに近づけるように操作することで、左右のスライドバー２，３の先端部が巾木１の主要部内に引き込まれた状態となり、枠部材の係合部４，４との係合が解除される。この際に例えば上述の巻取ドラムがシャッタカーテンを巻き取る側に付勢されていると、係合を解除するだけでシャッタカーテンが巻き取られて上方に移動し、シャッタが開放した状態となる。
なお、前記係合部４，４の上面が内側に向かうにつれて下り傾斜するテーパー面とされ、前記スライドバー２，３の先端部の下面が外側に向かうにつれて上り傾斜する湾曲したテーパー面とされていることから、巾木１を下げた際に、係合部４，４の上面にスライドバー２，３の先端部下面が接触すると、上述のテーパー面に案内されてスライドバー２，３が前記付勢力に抗して内側に押し込まれ、スライドバー２，３が係合部４，４の下側に至ると前記付勢力により、スライドバー２，３が外側に突出しスライドバー２，３の先端部と係合部４，４とが係合することになる。
【０００９】
【特許文献１】特開２００４−３３２４３７号公報
【発明の開示】
【発明が解決しようとする課題】
【００１０】
ところで、上述の施錠装置は、シャッタ装置の室内側の開口部に左右引き違いに二枚の障子が配置された窓サッシ用に設けられたものである。
そのために、左右のスライドバー２，３の長さを異なるものとし、上述のスライド枠５、ツマミ部材６，６等からなる操作部の位置が左右の中央から左右のうちの一方側にずれた位置に配置されている。
すなわち、左右引き違いの２枚の障子を有する窓サッシにおいては、開放した場合に、開口部の中央に必ず２枚の障子の左右いずれかの端部が存在することになり、操作部が中央にあると障子とサッシとの間に手を入れないと操作部のツマミ部材を操作できず、操作性が極めて悪くなってしまう。
【００１１】
そこで、操作部の位置を巾木１の左右の中央より左右どちらかにずらすことで、障子が邪魔になることなく、施錠装置の操作が可能となる。なお、図８において、巾木１の中央よりハッチングされた側に障子開放時に障子が存在することになる。
なお、上述の２枚の障子が引き違いに配置された窓サッシは、基本的に窓の左右の半分しか開放できないことから、普段使用する際には、窓の左側もしくは右側だけを開放するようにし、反対側には、採光を完全に遮らない程度の背の低い家具を置いたり、観葉植物を置いたりする場合がある。
【００１２】
この場合に、上述のようにシャッタ装置の施錠装置の操作部が左右いずれかに偏った位置にあると、操作部が無い方に家具や観葉植物を置くことになり、これらのレイアウトが制約されてしまうといった問題があった。
また、レイアウトを優先して、操作部がある側と同じ側に家具や観葉植物等をおいてしまうと、家具や観葉植物とシャッタカーテンとの間に手を入れて操作部のツマミ部材６，６を操作しなければならず、極めて操作性が悪くなってしまう。
【００１３】
本発明はこのような事情に鑑みてなされたもので、上述のようなスライドバーを有するシャッタ装置の施錠装置において、操作部を左右２箇所以上に配置可能とすることで、操作部の操作性を犠牲にすることなく、窓の前に家具や観葉植物等を自由にレイアウト可能とすることを目的とする。
【課題を解決するための手段】
【００１４】
前記目的を達成するために、請求項１に記載のシャッタ装置は、
建築物の開口部の左右に立設された一対のガイドレールを有する枠部材と、
前記ガイドレールに沿って昇降移動可能なシャッタカーテンと、
前記シャッタカーテンの先端部に左右に延在して設けられる巾木と、
前記シャッタカーテンを閉じた状態で、前記枠部材の下端部に前記巾木を係止した状態に保持する施錠装置とを備え、
前記施錠装置は、
前記巾木に所定範囲内で左右に移動自在に設けられるとともに前記巾木の左端部から出没自在とされる左の係止部材と、
前記巾木に所定範囲内で左右に移動自在に設けられるとともに前記巾木の右端部から出没自在とされる右の係止部材と、
前記枠部材の左右の下端部に設けられ、前記巾木の左右端部からそれぞれ突出した状態の前記左右の係止部材と係合することにより前記シャッタカーテンを閉じた状態に保持する左右の係合部と、
前記左の係止部材を左に付勢し、前記右の係止部材を右に付勢する付勢手段と、
前記巾木の中央より左側に形成される左右一対の第１の操作部材と、
前記巾木の中央より右側に形成される左右一対の第２の操作部材とを備え、
第１及び第２の操作部材におけるそれぞれの左右一対の操作部材のうちの左の操作部材が左の係止部材に接続され、右の操作部材が右の係止部材に接続され、かつ、これら操作部材は、左右の係止部材の一方を少なくとも前記巾木の内側に引き込む方向に連動可能に左右の係止部材のいずれか一方に接続されていることを特徴とする。
【００１５】
請求項１記載の発明において、係止部材を少なくとも前記巾木の内側に引き込む方向に連動可能に係止部材に操作部材を接続する際の接続は、操作部材と係止部材とを一体に固定した状態で、操作部材と係止部材とが一体に左右に移動自在であっても良いし、係止部材と操作部材との間に他の部材を介在させて接続したものであってもよい。
そして、前記他の部材として例えば剛体ではなく、ワイヤ等の紐状部材であってもよく、この場合に、係止部材の上述の付勢方向の反対側にワイヤを引っ張るように操作部材を操作した際に前記巾木の内側に引き込む方向に係止部材が移動し、操作部材から手を離すと、付勢手段により係止部材が元にもどされ、操作部材もワイヤにより引っ張られて戻ることになる。
また、上述の構成において、第１および第２の操作部材だけではなく、さらに操作部材を増やした構成とすることも可能である。
【００１６】
請求項２記載の発明は、請求項１記載のシャッタ装置において、
前記左右の係止部材は、前記巾木の左右の長さの半分より長く左右に延在するとともに、少なくとも一部が互いに前後に重なるように配置され、
第１及び第２の操作部材におけるそれぞれの左右一対の操作部材のうちの左の操作部材が左の係止部材に一体に左右に移動可能に接続され、右の操作部材が右の係止部材に一体に左右に移動可能に接続されていることを特徴とする。
【００１７】
請求項３記載の発明は、請求項１記載のシャッタ装置において、
前記左右の係止部材は、前記巾木の左右の長さの半分より長く左右に延在するとともに、少なくとも一部が互いに上下に重なるように配置され、
第１及び第２の操作部材におけるそれぞれの左右一対の操作部材のうちの左の操作部材が左の係止部材に一体に左右に移動可能に接続され、右の操作部材が右の係止部材に一体に左右に移動可能に接続されていることを特徴とする。
【００１８】
請求項４記載の発明は、請求項１記載のシャッタ装置において、
前記左右の係止部材は、前記巾木の左右の長さの半分より短く形成されるとともに、互いに重ならないように左右に配置され、
左右一対の第１の操作部材のうちの左の操作部材が左の係止部材に一体に左右に移動可能に接続され、右の操作部材が紐状部材を介して右の係止部材を前記巾木内に引き込み可能に接続され、
左右一対の第２の操作部材のうちの右の操作部材が右の係止部材に一体に左右に移動可能に接続され、左の操作部材が紐状部材を介して左の係止部材を前記巾木内に引き込み可能に接続されていることを特徴とする。
【発明の効果】
【００１９】
請求項１記載のシャッタ装置によれば、巾木の左右にそれぞれ第１の操作部材と第２の操作部材が設けられることになり、これら第１の操作部材および第２の操作部材のいずれ
かにおいて、左右一対の操作部材を互いに近づける方向に操作すれば、巾木の左右端部から突出した状態の左右の係止部材を巾木内に引き込ませることができ、係合部との係合を解除して、シャッタカーテンを開放可能とすることができる。
すなわち、従来の巾木の左右のうちの一方側に操作部が設けられていたのに対して本発明では左右に操作部が設けられたことになり、例えば、シャッタカーテンの室内側に二枚の障子が引き違いに配置された窓サッシが配置され、この窓サッシの室内側の右側もしくは左側のどちらか一方に家具等をおいても、操作部の操作が困難になるようなことがなく、シャッタ装置の施錠装置の開錠操作が容易となる。
したがって、窓サッシの内側に家具等を配置する際のレイアウトが制限されることもなく、家具や観葉植物等のレイアウトの自由度を高めることができる。
【００２０】
請求項２記載のシャッタ装置によれば、請求項１記載の発明と同様の効果が得られる。
ここで、巾木の半分の長さより長い左右に長尺な係止部材に操作部材が固定された状態となる。すなわち、左の係止部材の左側に第１の操作部材のうちの左側の操作部材が固定され、左の係止部材の右側に第２の操作部材のうちの左側の操作部材が固定された状態となる。また、右の係止部材の左側に第１の操作部材のうちの右側の操作部材が固定され、右の係止部材の右側に第２の操作部材のうちの右側の操作部材が固定された状態となる。
そして、第１の操作部材側もしくは第２の操作部材側で左右の操作部材を近づけることで上述のように施錠を解除することができる。
また、左右の係止部材が前後に重ねて配置されるので、巾木の上下幅内に問題なく左右の係止部材を配置することができる。なお、シャッタカーテンを巻取ドラムに巻き取って閉めた際の巻取りドラムのカバー部材との関係等により、巾木は、その上下幅、前後厚み等が制限されることになる。したがって、巾木の上下幅を制限したい場合に請求項２記載の発明を好適に用いることができる。
【００２１】
請求項３記載のシャッタ装置によれば、請求項１記載の発明と同様の効果が得られる。
ここで、左右の係止部材と操作部材の接合は、請求項２記載のシャッタ装置と同様となるが、左右の係止部材が前後ではなく上下に重ねて配置されるので、巾木の前後厚み内に問題なく左右の係止部材を配置することができ、巾木の前後厚みを制限したい場合に請求項３記載の発明を好適に用いることができる。
【００２２】
請求項４記載のシャッタ装置によれば、請求項１記載の発明と同様の効果が得られる。
ここで、請求項４記載の構成では、左右の係止部材同士が重なることがなく、細い紐状部材だけが重なることになるので、左右の係止部材を前後もしくは上下に重ねた場合に比較して、左右の係止部材が配置される巾木の上下幅を狭くし、巾木の前後圧を薄くすることができる。
【発明を実施するための最良の形態】
【００２３】
以下、添付した図面を参照しながら、本発明の第１の実施の形態を説明する。
図１〜図２は本発明の実施の形態に係るシャッタ装置１０を備えた開口部装置としての窓サッシ２０を示し、図３及び図４は前記シャッタ装置１０の施錠装置３０を示し、図５は施錠装置３０の後述の付勢手段を示すものである。
図１，２に示すように窓サッシ２０は、建築物の開口部にはめ込まれる矩形枠状の枠部材２１を備え、該枠部材２１の室外側にシャッタ装置１０が設けられ、シャッタ装置１０の室内側に左右に移動自在な一枚の網戸２２と、ガラス板２３がはめ込まれた外障子２４と内障子２５とを備えている。外障子２４及び内障子２５は左右引き違いに配置されたもので、開放状態とした場合に枠部材２１の内周側となる開口部分の左右半分のいずれかを開放可能となっている。
【００２４】
そして、この窓サッシ２０に一体に備えられたシャッタ装置１０は、前記枠部材２１の左右側部の前部にそれぞれ上下に延在する一対のガイドレール１１が備えられている。
そして、このガイドレール１１に左右側部を案内されるように、シャッタカーテン１２が設けられている。シャッタカーテン１２は、左右に細長いスラット１３，…を上下方向に多数連結したものであり、巻き取ることが可能となっている。
【００２５】
そして、前記枠部材２１の上には、シャッタカーテン１２を巻き取る巻取ドラム１４が回転可能に取り付けられるとともに、巻取ドラム１４はカバー部材１５に覆われた状態となっている。
そして、巻取ドラム１４の外周面には、シャッタカーテン１２の上端部が固定され、巻取ドラム１４が正転することによりシャッタカーテン１２を巻き取って、シャッタカーテン１２を上昇させてシャッタカーテン１２を開放状態とするとともに、巻取ドラム１４を逆転することによりシャッタカーテン１２を下降させてシャッタカーテン１２を閉塞状態とするようになっている。
【００２６】
この例では、シャッタ装置１０は、手動式のものとされ、巻取ドラム１４は、正転方向に付勢されており、シャッタを閉塞状態とする場合には、巻取ドラム１４に巻き取られたシャッタカーテン１２の操作バーを手で掴んで付勢力に抗してシャッタカーテン１２を巻取ドラム１４から引き出すことにより、シャッタカーテン１２を閉塞状態とし、後述の施錠装置３０により施錠することで、シャッタカーテン１２を閉塞状態に保持するようになっている。また、閉塞状態のシャッタカーテン１２において施錠装置３０の施錠を解除すると、付勢された巻取ドラム１４によってシャッタカーテン１２が巻き取られることで、自動的にシャッタカーテン１２が開放状態となるとともに、開放状態に保持されるようになっている。なお、本発明のシャッタ装置は、手動式に限られるものではなく、巻取りドラム１４をモータ等で駆動する電動式にも適用可能である。
【００２７】
シャッタカーテン１２の下端部には、シャッタカーテン１２の先端部（下端部）を構成する巾木１６が設けられている。巾木１６は、上述の左右一対のガイドレール１１，１１間に渡る長さを有するものとなっている。
そして、図３及び図４に示すように、巾木１６の内部には、後述のように施錠装置３０を構成する左右のスライドバー（係止部材）３１，３２が所定範囲内で左右に移動自在に配置されている。
なお、枠部材２１の左右のガイドレール１１，１１の下端部には、スライドバー３１，３２の先端部と係合する係合部（図示略）が設けられている。なお、係合部は、従来と同様に上面が内側に向かうにつれて下り傾斜するテーパー面とされ、下側が水平な面とされたものである。
なお、係合部の形状は、上述のものに限られるものではなく、接触するスライドバー３１，３２の先端部の形状に対応して、例えば、スライドバー３１，３２の先端部を矩形状として、係合部の上面を湾曲したテーパー面としたり、スライドバー３１，３２の先端部の下面を端に行くほど高くなる湾曲したテーパー面とし、係合部は、斜面を持たない矩形状としてもよい。基本的には、巾木１６が下降する際に、スライドバー３１，３２と、係合部との互いに接触する面の少なくとも一方をテーパー面（平面もしくは曲面）として、係合部にスライドバー３１，３２が上から接触した場合に、スライドバー３１，３１が巾木１６内に引き込むように移動すればよい。
【００２８】
すなわち、シャッタ装置１０は、建築物の開口部の左右に立設された一対のガイドレール１１，１１を有する枠部材２１と、前記ガイドレール１１，１１に沿って昇降移動可能なシャッタカーテン１２と、前記シャッタカーテン１２の先端部に左右に延在して設けられる巾木１６と、前記シャッタカーテン１２を閉じた状態で、前記枠部材２１の下端部に前記巾木１６を係止した状態に保持する施錠装置３０とを備えている。
【００２９】
図３および図４は、巾木１６に配置された施錠装置３０を示すものであるが、図３が概略構成を示し、図４が詳細を示すものである。また、図４（ａ）が、施錠装置３０を巾木１６に取り付けられた状態を示し、図４（ｂ）が施錠装置３０を分解した状態を示している。また、図４（ａ）においては、施錠装置３０の各部材を透視可能に図示している。
また、図５には、後述のスライド枠３５，３６のうちの後述の付勢手段が取り付けられたスライド枠３５が図示されている。
図３〜５に示すように、施錠装置３０は、左のスライドバー（左の係止部材）３１、右のスライドバー（右の係止部材）３２、左右のスライド枠３５，３６と、スライド枠３５、３６のうちの一方（左側）のスライド枠３５，３６に設けられた付勢コマ３７，３７及びバネ（コイルスプリング）３８，３８からなる付勢手段と、後述の左右の操作部３３，３４を構成し、かつ、左右のスライドバー３１，３２に取り付けられるツマミ部材（操作部材）３９，３９とを備えるものである。
【００３０】
左のスライドバー３１は、所定範囲内で左右に移動自在に設けられるとともに前記巾木１６の左端部から出没自在とされている。
また、右のスライドバー３２は、所定範囲内で左右に移動自在に設けられるとともに前記巾木１６の右端部から出没自在とされている。
そして、左右のスライドバー３１，３２は、先端部を前記巾木１６の左右の端部からそれぞれ突出した状態とした場合に、前記左右の係合部と係合することによりシャッタカーテン１２を閉じた状態に保持するようになっている。
【００３１】
また、左右のスライドバー３１，３２は、前記巾木１６の左右の長さの半分より長く左右に延在するとともに、少なくとも一部が互いに前後に重なるように配置されている。詳細には、左右のスライドバー３１，３２は、巾木１６の左右の長さの２／３程度の長さに形成され、巾木１６の１／３程度の長さが前後に重なって配置されている。また、左のスライドバー３１が室外側（後ろ側）に配置され、右のスライドバー３２が室内側（前側）に配置されている。なお、この例での室外側及び室内側は実際の部屋の内外ではなく、便宜上のもので、室内−室外方向において、どちらがより室内側かより室外側かを示すものである。
また、左右のスライドバー３１，３２には、図４に示すように、ツマミ部材３９，３９を取り付ける取付部５１がそれぞれ２箇所ずつ設けられている。
【００３２】
左のスライドバー３１には、その中央より左側に左の取付部５１が設けられ、右端部に右の取付部５１が設けられている。
取付部５１，５１は、細板状の左のスライドバー３１の一部を室内側に垂直な折線でほぼ直角に屈曲させることにより、室内側に突出した部分であり、右端部の取付部５１は、右端部の上半分程度を切り欠いた状態で室内側に屈曲させることにより形成されている。
また、左のスライドバー３１の左の取付部５１は、スライドバー３１の下半分程度をきり欠いた状態とするとともに切欠いた状態となる部分の一部（左側部分）をスライドバー３１から切り取らずに室内側に向けて屈曲させることにより形成されている。
【００３３】
また、左のスライドバー３１には、その中央部より右側に上掛止部５２と下掛止部５３とが設けられている。上掛止部５２および下掛止部５３は、左のスライドバー３１の左右の取付部５１，５１の間に設けられるとともに、後述のように左右のスライドバー３１，３２の先端部を巾木１６の左右端部から出没させるように、左右のスライドバー３１，３２を左右にスライド移動させても右のスライドバー３２と前後に重なる状態が維持される左のスライドバー３１の部分に設けられる。
【００３４】
そして、上掛止部５２は、左の取付部５１と下掛止部５３とのほぼ中央部分に設けられ、この部分の左のスライドバー３１の上半分を切り欠くとともに、一部を切り欠かずに室内側に水平な折線でほぼ直角に屈曲させて形成されている。
また、下掛止部５３は、上掛止部５２と右の取付部５１とのほぼ中央部分に設けられ、この部分の左のスライドバー３１の下半分を切り欠くとともに、一部を切り欠かずに室内側に水平な折線でほぼ直角に屈曲させて形成されている。上掛止部５２および下掛止部５３を屈曲させることにより室内側に突出された部分の突出長さは、例えば、右のスライドバー３２の厚み程度となっている。
【００３５】
右のスライドバー３２には、その左端部に左の取付部５１が設けられ、その中央より右側に右の取付部５１が設けられている。
取付部５１，５１は、細板状の右のスライドバー３２の一部を室内側に垂直な折線でほぼ直角に屈曲させることにより、室内側に突出した部分であり、左端部の取付部５１は、左端部の上半分程度を切り欠いた状態で室内側に屈曲させることにより形成されている。
また、右のスライドバー３２の右の取付部５１は、スライドバー３２の下半分程度を切り欠いた状態とするとともに切欠いた状態となる部分の一部（左側部分）をスライドバー３２から切り取らずに室内側に向けて屈曲させることにより形成されている。
なお、左右のスライドバー３１，３２における取付部５１，５１は、操作部材としてのツマミ部材３９，３９が取り付け可能なものとなっていればよく、例えば、ツマミ部材３９，３９をネジ（ビス）等の接合部材を用いてスライドバー３１に接合するものとしてもよく、この場合に取付部５１，５１が室内側に突出している必要はない。なお、ツマミ部材３９，３９を容易に位置決めして取り付ける上では、スライドバー３１のツマミ部材３９，３９の取り付け位置に突起や、凹部やネジ孔等の孔等が有った方が組立性が向上するが、例えば、平面であってもよい。また、スライドバー３１に取付部５１，５１を後付けして、後付けされた取付部５１，５１にツマミ部材３９，３９を取り付けてもよい。
また、左右のスライドバー３１，３２におけるツマミ部材３９，３９の取り付け位置は、ツマミ部材３９，３９を有する左右の操作部３３，３４が巾木１６（窓サッシ２０）の中央より左右に形成されていればよく、上述の取付部５１の位置に限定されるものではない。例えば、左右の操作部３３，３４をもう少し中央よりに配置する場合に、左のスライドバー３１の左の取付部５１が左のスライドバー３１の中央より右側で、右のスライドバー３２の右の取付部５１が中央より左側であってもよい。
【００３６】
また、右のスライドバー３１には、その中央部より左側に上掛止部用切欠部５４と下掛止部用切欠部５５とが設けられている。これら切欠部５４，５５は、それぞれ上述の上掛止部５２および下掛止部５３と重なる位置に配置されている。そして、上掛止部用切欠部５４は、上側が開放した切欠部５４であり、矩形状に形成されている。そして、上掛止部用切欠部５４の部分において、右のスライドバー３２の上辺が一段低くなるとともに、水平となっており、上述の左のスライドバー３１の上掛止部５２がほぼ接触する状態となっている。
【００３７】
また、下掛止部用切欠部５５は、下側が開放した切欠部５５であり、矩形状に形成されている。そして、下掛止部用切欠部５５の部分において、右のスライドバー３２の下辺が一段高くなるとともに、水平となっており、上述の左のスライドバー３１の下掛止部５３がほぼ接触する状態となっている。
これら切欠部５４，５５は、その左右幅が左右のスライドバー３１，３２の所定範囲の移動長さに対応する長さとされており、右のスライドバー３２の切欠部５４，５５の左右の範囲内で左のスライドバー３１の上掛止部５２、下掛止部５３が左右に移動可能となっている。
【００３８】
言い換えれば、左のスライドバー３１の上掛止部５２、下掛止部５３は、右のスライドバー３２の切欠部５４，５５の左右幅の範囲内だけ移動可能に規制されており、これら左のスライドバー３１の上掛止部５２、下掛止部５３は、右のスライドバー３２の切欠部５４，５５により左右のスライドバー３１，３２の移動範囲が所定範囲となるように規制している。なお、この所定の移動範囲は、左右のスライドバー３１，３２の先端部が巾木１６の左右の端部から突出して確実に係合部に係合する位置から前記先端部が巾木１６に引き込まれて前記先端部が係合部に接触せずに確実に係合が解除される位置までの範囲である。
【００３９】
また、左のスライドバー３１の上掛止部５２、下掛止部５３が右のスライドバー３２を上下から挟み込んだ状態となっており、左右のスライドバー３１，３２に左右方向以外への移動の一部を規制するようになっている。特に、左右のスライドバー３１，３２の先端部の上側に係合部が係合して左右のスライドバー３１，３２の先端部の上方への移動が規制された状態では、左のスライドバー３１の上掛止部５２、下掛止部５３により、左右のスライドバー３１，３２の左右方向以外への移動が規制される。
【００４０】
また、右のスライドバー３２には、上述の下掛止部用切欠部５５と右の取付部５１との間に左端部の取付部用切欠部５６が形成されている。この切欠部５６は、右のスライドバー３２より室外側に配置される左のスライドバー３１の右端部の取付部５１を右のスライドバー３２より突出させることを可能とするために形成されたものである。
この切欠部５６も左右のスライドバー３２を所定範囲内で左右に移動させた際に、左のスライドバー３１の右端部の取付部５１の移動を規制しないように左右幅が設定されている。
【００４１】
４つの前記取付部５１は、巾木１６の室内側に突出するように形成されている。そして、巾木１６の左のスライドバー３１の左の取付部５１と、右のスライドバー３２の左の取付部５１が突出する部分にこれらがともに挿通可能な左開口部が形成されている。また、巾木１６の左のスライドバー３１の右の取付部５１と、右のスライドバー３２の右の取付部５１が突出する部分にこれらがともに挿通可能な右開口部が形成されている。
また、巾木１６の左の開口部は、巾木１６の中央より左に形成され、右の開口部は巾木１６の中央より右に形成されている。
【００４２】
そして、巾木１６の左右の開口部には、それぞれスライド枠３５，３６が取り付けられえている。
スライド枠３５、３６のうちの一方のスライド枠３５には、左のスライドバー３１を左に付勢し、右のスライドバー３２を右に付勢する付勢手段が設けられている。
図５に示すように、スライド枠３５は、矩形枠状で、矩形の開口部を有するものとなっている。また、その開口部の上辺および下辺部分は、室外側に折り曲げられて水平でかつ室外側に屈曲するガイド部６１，６２が形成され、該ガイド部６１，６２には、左右に延在するとともに左右２つのスリット６３，６４がそれぞれ形成されている。この上下のスリット６３、６４のそれぞれに上端部および下端部が挿通した状態で２つの付勢コマ３７，３７が左右に移動自在に取り付けられている。なお、図４（ｂ）のスライド枠３５には
左右２つずつ、合計４つの付勢コマ３７，３７が図示されているが、これは左右の付勢コマ３７，３７の移動範囲を図示したものである。このように付勢コマ３７，３７の移動範囲が規制されることにより、後述のように左右の付勢コマ３７，３７に接続される左右のスライドバー３１，３２の個々の移動範囲が規制されるようになっている。
【００４３】
また、付勢コマ３７，３７は、矩形板状に形成されるとともに、その中央部に上述の左右のスライドバー３１，３２の取付部５１，５１が挿通される上下に長い挿通孔６５，６５が形成されている。また、付勢コマ３７，３７のガイド部６１のスリット６３より上に突出する部分は、直角に屈曲させられることで、付勢コマ３７，３７の落下を規制している。
また、付勢コマ３７，３７の下端部には、左右にバネ掛止孔６６，６６が形成されている。そして、スライド枠３５の開口部より外側の左右の下端部には、それぞれバネ掛止片６７，６７が設けられており、これらバネ掛止孔６６，６６と、バネ掛止片６７，６７との間にバネ３８が掛け渡された状態となっている。このバネ３８はコイルスプリングでそれぞれ左のバネ３８は左の付勢コマ３７を左に付勢し、右のバネ３８は、右の付勢コマ３７を右に付勢している。
【００４４】
そして、左の付勢コマ３７の挿通孔６５には、左のスライドバー３１の左の取付部５１が挿通されて付勢コマ３７と一体に左右に移動可能に固定され、右の付勢コマ３７の挿通孔６５には、右のスライドバー３２の左の取付部５１が挿通されて付勢コマ３７と一体に左右に移動可能に固定されている。
これにより、左のスライドバー３１は、左に向かって付勢され、右のスライドバー３２は、右に向かって付勢される。
【００４５】
すなわち、スライド枠３５、付勢コマ３７，３７、バネ３８，３８が、左右のスライドバー３１，３２をそれぞれ左右に付勢する付勢手段となる。
また、スライド枠３５において、左の付勢コマ３７に挿通された左のスライドバー３１の左の取付部５１にツマミ部材３９が取り付けられ、右の付勢コマ３７に挿通された右のスライドバー３２の左の取付部５１にツマミ部材３９が取り付けられている。
【００４６】
ツマミ部材３９は、スライド枠３５の上下のガイド部６１，６２間に挟まれた状態で左右に移動自在とされるスライダ７１と、スライダ７１の中央から室内側に向かって突出するツマミ７２とから構成されるとともに、ツマミ７２の部分において、室外側から取付部５１を挿入可能な挿入孔（図示略）が形成されている。
そして、ツマミ部材３９は、前記挿入孔に取付部５１を挿入することで、スライド枠３５内で左側に配置されたツマミ部材３９に左のスライドバー３１が固定され、スライド枠３５内で右側に配置されたツマミ部材３９に右のスライドバー３２が固定されている。
左のスライド枠３５に左右に移動自在に配置された左右のツマミ部材３９，３９により左の操作部３３が構成されている。
【００４７】
右のスライド枠３６は、上述の付勢手段が設けられていないものであるが、左のスライド枠３５と同様の構成を有し、かつ、上述の付勢コマ３７，３７およびバネ３８，３８が取り付けられていない構成となっている。
そして、右のスライド枠３６には、付勢コマ３７，３７がガイド部６１，６２のスリット６３，６４に挿通されて取り付けられることなく、左のスライドバー３１の右の取付部５１と、右のスライドバー３２の右の取付部５１が突出した状態となっている。そして、これら取付部５１，５１にそれぞれツマミ部材３９，３９が左のスライド枠３６と同様に取り付けられている。
【００４８】
また、右のスライド枠３６内において、左右のツマミ部材３９，３９が、左のスライド枠３５と同様に左右に移動自在とされている。
そして、右のスライド枠３６に左右に移動自在に配置された左右のツマミ部材３９，３９により右の操作部３４が構成されている。
以上のことから、巾木１６の中央より左側で室内側に向かって突出し、かつ、左の操作部３３となる左右一対のツマミ部材３９，３９（第１の操作部材）と、巾木１６の中央より右側で室内側に向かって突出し、かつ、右の操作部３４となる左右一対のツマミ部材３９，３９（第２の操作部材）とを備え、これら左右操作部３３，３４のツマミ部材３９におけるそれぞれの左右一対のツマミ部材３９，３９のうちの左のツマミ部材３９が左のスライドバー３１に接続され、右のツマミ部材３９が右のスライドバー３２に接続され、かつ、これらツマミ部材３９は、それぞれ左右のスライドバー３１，３２を少なくとも巾木１６の内側に引き込む方向に連動可能に左右のスライドバー３１，３２に接続されている。
また、左右の操作部３３，３４におけるそれぞれの左右一対のツマミ部材３９，３９のうちの左のツマミ部材３９が左のスライドバー３１に一体に左右に移動可能に接続され、右のツマミ部材３９が右のスライドバー３２に一体に左右に移動可能に接続されている。
【００４９】
このような構成により、上述のバネ３８，３８等から構成される付勢手段により左右のスライドバー３１，３２が左右に付勢されて、左右のスライドバー３１，３２の先端部がそれぞれ巾木１６の左右端部から突出して係合部に係合した状態では、左の操作部３３および右の操作部３４において、左のツマミ部材３９がその移動範囲の最も左に位置し、右のツマミ部材３９がその移動範囲の最も右に位置することにより、左右のツマミ部材３９，３９が左右に開いた状態となっている。なお、この状態でも、左右のツマミ部材３９，３９のツマミ７２，７２間の距離が片手の親指と人差し指で左右のツマミ部材３９，３９を左右から挟み込める程度の距離となっている。
【００５０】
この状態で、左の操作部３３もしくは右の操作部３４において、ツマミ部材３９，３９を互いに近づけるように、左のツマミ部材３９を右に移動し、右のツマミ部材３９を左に移動することにより、左のツマミ部材３９に固定された左のスライドバー３１が右に移動し、右のツマミ部材３９に固定された右のスライドバー３２が左に移動する。
これにより左右のスライドバー３１，３２が巾木１６の内側に引き込まれるように移動し、左右のスライドバー３１，３２の先端部が巾木１６内に収容された状態となり、係合部との係合が解除された状態となる。
【００５１】
これにより閉じた状態のシャッタカーテン１２を開放することができる。したがって、左右の操作部３３，３４のどちら側で操作してもシャッタカーテン１２を開放することができる。そこで、閉じた状態で室内側から見て左側の外障子２４を右側に移動して窓を開放しても、右側の内障子２５を左側に移動して窓を開放しても、左右いずれかの操作部３３，３４を用いてシャッタカーテン１２を開放可能となる。
【００５２】
したがって、窓サッシ２０の左側もしくは右側に家具や観葉植物などを置いてあっても、不自由なく、容易にシャッタカーテン１２を開放可能となる。また、操作部３３，３４が窓サッシ２０の中央より左右両方にあることから、窓サッシ２０の左右のどちらに家具や観葉植物を置いても、シャッタカーテン１２を容易に施錠解除して開放できることから、家具や観葉植物のレイアウトがシャッタ装置１０の施錠装置３０により制約されてしまうことがない。
【００５３】
また、この実施例では、施錠装置３０のスライドバー３１，３２が左右の操作部３３，３４のツマミ部材３９，３９に固定的に接続される必要があることから、スライドバー３１，３２が巾木１６の半分の長さより長くなり、これらが位置的に重なる必要があるが、左右のスライドバー３１，３２を前後に重ねているので、左右のスライドバー３１，３２を上下に重ねた場合よりも、施錠装置３０全体の上下幅を短くすることができる。
したがって、施錠装置３０を内蔵する巾木１６の上下幅を狭くしたい場合にこの例の施錠装置３０を好適に使用することができる。
【００５４】
なお、上記例では、左側のスライド枠３５に付勢手段を設けたが、右側のスライド枠３６に付勢手段を設けてもよく、また、両方のスライド枠３５，３６に付勢手段を設けてもよい。
また、付勢手段は、左右のスライドバー３１，３２を左右の付勢すればよいので、左右のスライド枠３５，３６のいずれにも付勢手段を設けることなく、左右のスライドバー３１，３２間に互いに反発するように付勢手段を配置してもよく、巾木１６と左右のスライドバー３１，３２との間に付勢手段を配置してもよい。
【００５５】
次に、本発明の第２の実施形態のシャッタ装置を説明する。
なお、第２の実施の形態のシャッタ装置１０は、その施錠装置８０におけるスライドバー８１，８２の形状と配置、付勢手段の構成が第１の実施の形態と異なる以外は、第１の実施の形態と同様の構成となっている。
第２の実施の形態では、第１の実施の形態において、左右のスライドバー３１，３２が前後に重なっていたのに対して、第２の実施の形態では、左右のスライドバー（係止部材）８１，８２が上下に重なって配置されている。
【００５６】
また、第１の実施の形態では、左右のスライドバー３１，３２の左右の操作部３３，３４に付勢手段を設けたが、この例では、巾木１６の中央部に左右のスライドバー８１，８２をそれぞれ左右の付勢する付勢手段を設けている。なお、付勢手段の構成は、例えば、第１の実施の形態と同様に、スライド枠３５に付勢コマ３７，３７と、バネ３８，３８とを用いた構成を用いることができる。スライド枠３５は、例えば、巾木１６内部に固定されている。そして、左右のスライドバー８１，８２には、図示しない付勢手段用突出部を巾木１６の左右の中央部に配置されるスライド枠３５に左右に移動自在に配置された付勢コマ３７，３７に対応して突出して設ける。
【００５７】
この際に、巾木１６の中央部において左右のスライドバー８１，８２が、上下に重ねて配置されることから、前記突出部も上下に千鳥状に配置されることになるので、付勢コマ３７，３７に設けられる挿通孔６５，６５も、例えば、下側の左のスライドバー８１の突出部が挿通する左側の付勢コマ３７の挿通孔６５は、付勢コマ３７の下半分側に設けられ、上側の右のスライドバー８２の突出部が挿通する右側の付勢コマ３７の挿通孔６５は、付勢コマ３７の上半分に設けられる構成とする。
【００５８】
なお、付勢手段は、上述のスライド枠３５、付勢コマ３７，３７およびバネ３８，３８を用いたものに限られるものではなく、第１の実施の形態と同様に左右のスライドバー８１，８２を左右に付勢できるものならばよい。
また、左右のスライドバー８１，８２は、巾木１６の左右の長さの半分より長く左右に延在するとともに、少なくとも一部が互いに上下に重なるように配置されるが、第２の実施の形態においては、左右のスライドバー８１，８２が第１の実施の形態のスライドバー３１，３２よりも長く、巾木１６の長さより例えば僅かに短いものとなっている。すなわち、左右のスライドバー８１，８２を引き込んで左右のスライドバー８１，８２を巾木１６内に完全に収容できる長さ以内で、ほぼ最大の長さとしてもよい。
【００５９】
そして、左右のスライドバー８１，８２は、第１の実施の形態と同様に先端部を巾木１６の左右端部から出没自在とするように所定範囲内で左右に移動自在となっている。なお、左右のスライドバー８１，８２の移動範囲は、基本的に第１の実施の形態と同様であり、上述の係合部に十分に係合可能な長さだけ左右のスライドバー８１，８２の先端部を巾木１６の左右短部から突出させた状態から、例えば、前記先端部が巾木１６内に収容された状態までの範囲である。
【００６０】
そして、左右のスライドバー８１，８２には、第１の実施の形態と同様に取付部が形成されることになるが、図６において、取付部（図４の取付部５１とほぼ同等の構成で図６において図示省略）に既にツマミ部材（操作部材）８３を取り付けた状態で図示している。
取付部（ツマミ部材８３）の位置は、左右のスライドバー８１，８２において、その左右両端部からこれらスライドバー８１，８２の長さの約１／３となる位置である。
したがって、第１の実施の形態のように左のスライドバー３１の右の取付部５１がスライドバー３１の右端部に設けられ、右のスライドバー３２に左の取付部５１がスライドバー３２の左端部に設けられた場合と異なっている。
【００６１】
また、取付部には、ツマミ部材８３がそれぞれ取り付けられている。また、巾木１６には、ツマミ部材８３の取付位置と移動範囲に対応して例えば左右２つずつのスリット（図示略）が設けられ、該スリットにそれぞれ１つのツマミ部材８３が左右に移動自在に取り付けられている。
そして、各ツマミ部材８３は、スリットに案内されて左右に移動自在とされるとともに、スリットの長さにより移動範囲を制限される。左右のスライドバー８１，８２は、上述の付勢手段としてのスライド枠３５、付勢コマ３７，３７、バネ３８，３８により左右への移動範囲が制限されるとともに左右に移動自在に案内され、かつ、同様に左右のスライドバー８１，８２は、取付部に取り付けられたツマミ部材８３が巾木１６のスリットに案内されることで、左右に移動自在に巾木１６に支持されるとともに、移動範囲が規制された状態となっている。
【００６２】
そして、左の操作部８４は、左のスライドバー８１の左の取付部に取り付けられたツマミ部材８３と、右のスライドバー８２の左の取付部に取り付けられたツマミ部材８３とにより、千鳥状に配置された左右のツマミ部材８３，８３により構成される。左の操作部８４において、左のスライドバー８１に固定されたツマミ部材８３の方が、右のスライドバー８２に固定されたツマミ部材８３より左に配置される。
右の操作部８５は、左のスライドバー８１の右の取付部に取り付けられたツマミ部材８３と、右のスライドバー８２の右の取付部に取り付けられたツマミ部材８３とにより、千鳥状に配置された左右のツマミ部材８３，８３により構成される。右の操作部８５においも、左の操作部８４と同様に、左のスライドバー８１に固定されたツマミ部材８３の方が、右のスライドバー８２に固定されたツマミ部材８３より左に配置される。
以上のことから、また、左右の操作部８４，８５におけるそれぞれの左右一対のツマミ部材８３，８３のうちの左のツマミ部材８３が左のスライドバー８１に一体に左右に移動可能に接続され、右のツマミ部材８３が右のスライドバー８２に一体に左右に移動可能に接続されている。
【００６３】
そして、第２の実施の形態においても、左右の操作部８４，８５のいずれでも施錠の解除操作を行うことができ、第１の実施の形態と略同様の効果を奏することができる。
また、第２の実施の形態では、左右のスライドバー８１，８２が上下に配置されることから、第１の実施の形態に対して巾木１６の上下幅を狭くすることが困難になるが、前後に重なっていないことから、巾木１６の前後厚みを狭くすることが可能となり、巾木１６の前後厚みを狭くする場合に好適に用いることができる。
【００６４】
また、第２の実施の形態では、左右のスライドバー８１，８２が巾木１６より僅かに短い程度で巾木１６とほぼ同程度の長さを有することから、スライドバー８１，８２の取付部（ツマミ部材８３の取り付け位置）を調整することで、巾木１６のほぼ全幅のどの位置にでも操作部を設けることが可能となる。また、同様に巾木１６の中央より左側と右側とにそれぞれ操作部を二つずつ以上設ける構成とすることができ、例えば、窓サッシ２０およびシャッタ装置１０の左右幅が長いような場合に、操作部を左右に二つずつ設けることで、より操作性が向上するとともに、家具や観葉植物のレイアウトの自由度が高くなる。
【００６５】
なお、第２の実施の形態においても、第１の実施の形態と同様に左右の操作部８４，８５を構成してもよい。すなわち、巾木１６の左右の操作部８４，８５となる位置に左右のスライドバー８１，８２の取付部が突出可能な開口部を設け、この開口部に上述のスライド枠３５，３６を取り付けるとともに、スライド枠３５に、付勢コマ３７，３７と、バネ３８，３８とからなる付勢手段を取り付け、かつ、各取付部にツマミ部材３９，３９を取り付けるとともに、ツマミ部材３９，３９をスライド枠３５，３６内で左右に移動自在に保持した構成としてもよい。
また、スライド枠３５に付勢手段を設けずに、上述の巾木１６の中央部の付勢手段は、そのまま配置するものとしてもよい。
【００６６】
次に、本発明の第３の実施の形態のシャッタ装置１０を説明する。
なお、第３の実施の形態のシャッタ装置１０は、その施錠装置９０におけるスライドバー９１，９２の形状と配置、付勢手段の構成、ツマミ部材９３，９４のうちの一部のツマミ部材９４が紐状部材としてのワイヤ９５を介してスライドバー９１，９２に接続されている構成が第１の実施の形態と異なる以外は、第１の実施の形態と同様の構成となっている。
第３の実施の形態では、第１および第２の実施の形態において、左右のスライドバー３１，３２，８１，８２が前後もしくは上下に重なっていたのに対して、第３の実施の形態では、左右のスライドバー（係止部材）９１，９２が前後にも上下にも重ならないで左右に離れた位置に配置されている。
【００６７】
また、左右のスライドバー９１，９２は、それぞれ巾木１６の左右の長さの半分より短く形成され、例えば、巾木１６の長さの１／３程度とされている。
左のスライドバー９１の端部には、ツマミ部材９３を取り付けるための取付部が右端部に形成され、右のスライドバー９２には、ツマミ部材９３を取り付けるための取付部が左端部に設けられており、これら取付部にそれぞれツマミ部材９３、９３が取り付けられている。
ここで、前記第１および第２の実施の形態の場合と比較した場合に、左のスライドバー９１には、左のツマミ部材９３が取り付けられ、右のスライドバー９２には、右のツマミ部材９３だけが取り付けられた状態となっている。
【００６８】
そして、左のスライドバー９１の右のツマミ部材９４は、左のスライドバー９１の右端部に一端部（左端部）を接続されたワイヤ９５の他端部（右端部）に接続されている。すなわち、左のスライドバー９１の右のツマミ部材９４は、紐状部材としてのワイヤ９５を介して左のスライドバー９１に接続されている。
また、右のスライドバー９２の左のツマミ部材９４は、右のスライドバー９２の左端部に一端部（右端部）を接続されたワイヤ９５の他端部（左端部）に接続されている。すなわち、右のスライドバー９２の左のツマミ部材９４は、紐状部材としてもワイヤ９５を介して右のスライドバー９２に接続されている。
【００６９】
そして、第３の実施の形態においては、付勢コマ３７，３７とバネ３８，３８の配置だけが異なる点を除けば第１の実施形態と同様に左右の操作部９６，９７が構成されている。
すなわち、第１の実施の形態と同様に、巾木１６の左右の操作部９６，９７の部分に開口を形成するととともに、スライド枠３５，３６を取り付ける。ここで、第１の実施形態では、スライド枠３５に２個の付勢コマ３７，３７とバネ３８，３８を配置したが、この例では、左のスライド枠３５の左側に１個の付勢コマ３７を配置し、右のスライド枠３５の右側に１個の付勢コマ３７を配置する。
【００７０】
そして、左のスライド枠３５においては、付勢コマ３７を左側に付勢するように付勢コマ３７とスライド枠３５との間にバネ３８を配置する。
また、右のスライド枠３６においては、付勢コマ３７を右側に付勢するように付勢コマ３７とスライド枠３５との間にバネ３８を配置する。
そして、左のスライド枠３５の付勢コマ３７の挿通孔６５に、左のスライドバー９１の右端部の取付部が挿通され、かつ、この取付部に左の操作部９６の左のツマミ部材９３が取り付けられる。
したがって、左のスライドバー９１は、左のスライド枠３５の付勢コマ３７を介してバネ３８により左に付勢される。また、ツマミ部材９３は、スライド枠３５に左右に移動自在に保持される。
【００７１】
また、右のスライド枠３６の付勢コマ３７の挿通孔６５に、右のスライドバー９２の左端部の取付部が挿通され、かつ、この取付部に右の操作部９７の右のツマミ部材９３が取り付けられる。
したがって、右のスライドバー９２は、右のスライド枠３６の付勢コマ３７を介してバネ３８により右に付勢される。また、ツマミ部材９３は、スライド枠３６に左右に移動自在に保持される。
【００７２】
また、左のスライド枠３５の左のツマミ部材９３の右側に右のスライドバー９２にワイヤ９５を介して接続されたツマミ部材９４が左右に移動自在に取り付けられる。
また、右のスライド枠３６の右のツマミ部材９３の左側に左のスライドバー９１にワイヤ９５を介して接続されたツマミ部材９４が左右に移動自在に取り付けられる。
【００７３】
なお、左右のスライドバー９１，９２は、巾木１６により左右に移動自在にガイドされるとともに、その移動範囲が第１及び第２の実施の形態と同様に、係合部に十分に係合可能なようにスライドバー９１，９２の端部が巾木１６の左右端部から突出した状態からスライドバー９１，９２が巾木１６内に収容された状態までの範囲に規制される。
【００７４】
また、左のスライドバー９１に接続されたワイヤ９５の長さは、左のスライドバー９１がその移動範囲内でバネ３８の付勢力により最も左に位置する状態で、かつ、ワイヤ９５で左のスライドバー９１に接続されたツマミ部材９４が右のスライド枠３６の移動可能範囲内の最も左に位置した状態でワイヤ９５が弛まずに張った状態となる長さである。
同様に、右のスライドバー９２に接続されたワイヤ９５の長さは、右のスライドバー９２がその移動範囲内でバネ３８の付勢力により最も右に位置する状態で、かつ、ワイヤ９５で右のスライドバー９２に接続されたツマミ部材９４が左のスライド枠３６の移動可能範囲内の最も右に位置した状態でワイヤ９５が弛まずに張った状態となる長さである。
【００７５】
以上のようにワイヤ９５の長さを調整することにより、基本的にワイヤ９５は、操作中も非操作中も撓むことなく、付勢手段に付勢された左右のスライドバー９１，９２を介して付勢手段により張られた状態を維持するようになっている。
以上のことから、左の操作部９６の左右一対のツマミ部材９３，９４（第１の操作部材）のうちの左のツマミ部材９３が左のスライドバー９１に一体に左右に移動可能に接続され、右のツマミ部材９４がワイヤ９５を介して右のスライドバー９２を巾木１６内に引き込み可能に接続されている。
また、右の操作部９７の左右一対のツマミ部材９３，９４（第２の操作部材）のうちの右のツマミ部材９３が右のスライドバー９２に一体に左右に移動可能に接続され、左のツマミ部材９４がワイヤ９５を介して左のスライドバー９１を巾木１６内に引き込み可能に接続されている
そして、第３の実施の形態においても、窓サッシ２０の左右のどちらからでもシャッタ装置１０の施錠装置３０を解除することができ、第１の実施形態と同様の効果を奏することができる。
【００７６】
また、左右のスライドバー９１，９２は、互いに前後にも上下にも重ならず、重なるのは細いワイヤ９５となるので、巾木１６の上下幅および前後厚の両方が制限されるような状態でも、施錠装置９０を巾木１６内に収容可能となる。但し、左右のスライドバー９１，９２が重なる部分がなく、これらが離れて配置されるので、左右のスライドバー９１，９２を左右の付勢する付勢手段を一箇所に配置することが困難で、左右に分けて配置する必要があるとともに、また、ワイヤ９５を使うことで、僅かながら構成が第１および第２の実施形態より複雑になる。
【００７７】
なお、ツマミ部材９３，９４は、必ずしもスライド枠３５，３６にスライド自在に保持させる必要はなく、例えば、巾木１６にスリットを設け、このスリットに左右に移動自在に配置してもよい。また、スライドバー９１，９２を左右に付勢する付勢手段も上記のものに限られるものではなく、スライドバー９１，９２と巾木１６との間にバネを掛け渡す構成としてもよい。
また、上記図３、図６、図７において、中央の縦線は、障子を開放した場合の障子の端部の位置を示すものである。
【図面の簡単な説明】
【００７８】
【図１】本発明の第１の実施の形態に係るシャッタ装置の縦断面図である。
【図２】前記シャッタ装置の横断面図である。
【図３】前記シャッタ装置の施錠装置を示す概略図である。
【図４】前記施錠装置を示す側面図である。
【図５】前記施錠装置のスライド枠、付勢コマ、バネを示す図面である。
【図６】本発明の第２の実施の形態のシャッタ装置の施錠装置を示す概略図である。
【図７】本発明の第３の実施の形態のシャッタ装置の施錠装置を示す概略図である。
【図８】従来のシャッタ装置の施錠装置の一例を示す概略図である。
【符号の説明】
【００７９】
１１      ガイドレール
１２      シャッタカーテン
１６      巾木
２１      枠部材
３０      施錠装置
３１      スライドバー（左の係止部材）
３２      スライドバー（右の係止部材）
３５      スライド枠（付勢手段）
３７      付勢コマ（付勢手段）
３８      バネ（付勢手段）
３９      ツマミ部材（第１の操作部材、第２の操作部材）
８０      施錠装置
８１      スライドバー（左の係止部材）
８２      スライドバー（右の係止部材）
８３      ツマミ部材（第１の操作部材、第２の操作部材）
９０      施錠装置
９１      スライドバー（左の係止部材）
９２      スライドバー（右の係止部材）
９３      ツマミ部材（第１の操作部材、第２の操作部材）
９４      ツマミ部材（第１の操作部材、第２の操作部材）
９５      ワイヤ（紐状部材）
【図１】
2007297797.tif 000003
【図２】
2007297797.tif 000004
【図３】
2007297797.tif 000005
【図４】
2007297797.tif 000006
【図５】
2007297797.tif 000007
【図６】
2007297797.tif 000008
【図７】
2007297797.tif 000009
【図８】
2007297797.tif 000010